(57)【要約】【課題】速結端子に負荷配線を接続した状態にあっても、絶縁抵抗測定試験を容易に実施することができる配線用遮断器を提供する。【解決手段】本体ケース４の前面の左右両側縁に沿って、傾斜面に対して垂直方向に起立する支持壁５、５を設けているとともに、右側の支持壁５で、且つ、各差込孔１６の右側となる位置に、切り欠き３１を夫々設けた。そのため、絶縁抵抗測定試験等を実施する際には、たとえ端子Ｌ１〜Ｌ３に負荷配線が接続されて差込孔１６、１６・・の位置が直接視認しづらい状況にあっても、切り欠き３１、３１・・を目印として差込孔１６の位置を容易に把握することができる。また、切り欠き３１を介して測定端子の先端を左側へ移動させれば、測定端子の先端を差込孔１６の前方に位置させることができる。したがって、絶縁抵抗測定試験等の各種試験を容易に行うことができる。【選択図】図１
2019175684.tif 000002
【特許請求の範囲】
【請求項１】
本体ケースの背面に電源側端子が、前面に負荷側端子が夫々配設されているとともに、前記負荷側端子が、前記本体ケースの前面に沿って上下方向へ一列に並べられた複数の速結端子からなり、さらに各前記速結端子の上下何れかに隣接して、測定端子を差し込み可能な差込孔が開設された配線用遮断器であって、
前記本体ケースの前面の左右両側縁に沿って、前方へ突出する支持壁が設けられているとともに、
両前記支持壁間に、前記差込孔及び／又は前記速結端子を被覆／露出するカバー部材が、前記本体ケースの前面に沿って上下方向へスライド可能に取り付けられている一方、
少なくとも左右何れか一方の支持壁で、各前記差込孔の側方となる位置に、切り欠きが夫々設けられていることを特徴とする配線用遮断器。
【請求項２】
前記本体ケースの前面に、前記切り欠きから前記差込孔内へ向かって、後方へ階段状に下がる案内段部が設けられていることを特徴とする請求項１に記載の配線用遮断器。
【発明の詳細な説明】
【技術分野】
【０００１】
本発明は、たとえば分電盤内等に設置される配線用遮断器に関するものである。
【背景技術】
【０００２】
従来、薄型化を目指した配線用遮断器としては、本体ケースの後面に電源側端子を構成する切り欠き部を、前面に負荷側端子を構成する速結端子を夫々上下一列に設けたものがある。また、そのような配線用遮断器の本体ケース前面で、且つ、各速結端子の近傍となる位置に、絶縁抵抗測定試験を実施するために測定端子を差し込むための差込孔を開設することで、更なる薄型化を図ったものもある（たとえば特許文献１）。
【先行技術文献】
【特許文献】
【０００３】
【特許文献１】特開２００７−２８７５８１号公報
【発明の概要】
【発明が解決しようとする課題】
【０００４】
しかしながら、特許文献１に記載されているような配線用遮断器では、速結端子に負荷配線を接続していると、差込孔が見えづらく、絶縁抵抗測定試験を実施しづらいという問題があった。
【０００５】
そこで、本発明は、上記問題に鑑みなされたものであって、速結端子に負荷配線を接続した状態にあっても、絶縁抵抗測定試験を容易に実施することができる配線用遮断器を提供しようとするものである。
【課題を解決するための手段】
【０００６】
上記目的を達成するために、本発明のうち請求項１に記載の発明は、本体ケースの背面に電源側端子が、前面に負荷側端子が夫々配設されているとともに、前記負荷側端子が、前記本体ケースの前面に沿って上下方向へ一列に並べられた複数の速結端子からなり、さらに各前記速結端子の上下何れかに隣接して、測定端子を差し込み可能な差込孔が開設された配線用遮断器であって、前記本体ケースの前面の左右両側縁に沿って、前方へ突出する支持壁が設けられているとともに、両前記支持壁間に、前記差込孔及び／又は前記速結端子を被覆／露出するカバー部材が、前記本体ケースの前面に沿って上下方向へスライド可能に取り付けられている一方、少なくとも左右何れか一方の支持壁で、各前記差込孔の側方となる位置に、切り欠きが夫々設けられていることを特徴とする。
また請求項２に記載の発明は、請求項１に記載の発明において、前記本体ケースの前面に、前記切り欠きから前記差込孔内へ向かって、後方へ階段状に下がる案内段部が設けられていることを特徴とする。
なお、本発明において、複数の速結端子を「本体ケースの前面に沿って上下方向へ一列に並べ」るとは、本体ケースの前面が傾斜面に成形されている際には、傾斜方向に平行な斜め方向に沿って一列に並べることも含む。また、「本体ケースの前面の左右両側縁に沿って、前方へ突出する支持壁が設けられている」とは、本体ケースの前面が傾斜面に成形されている際には、傾斜面に直交する方向となる斜め前方へ突出するように支持壁を設けることも含む。
【発明の効果】
【０００７】
本発明によれば、本体ケースの前面の左右両側縁に沿って設けられた支持壁の少なくとも何れか一方で、各差込孔の側方となる位置に、切り欠きを夫々設けている。したがって、速結端子に負荷配線が接続され、差込孔の位置が直接視認しづらいような場合でも、切り欠きの位置から差込孔の位置を容易に把握することができる。また、切り欠きのある位置から測定端子の先端を左右方向へ移動させるだけで、差込孔の前方に測定端子を位置させることができる。したがって、絶縁抵抗測定試験等の各種試験を容易に行うことができる。
さらに、請求項２に記載の発明によれば、本体ケースの前面に、切り欠きから差込孔内へ向かって、後方へ階段状に下がる案内段部を設けている。したがって、測定端子の先端を案内段部上に当接させながら、測定端子を左右方向へ移動させるだけで、測定端子を電源座に接触させる等することができ、各種試験を非常に容易に行うことができる上、差込孔の内部から切り欠きにかけて十分な絶縁距離を確保することができる。
【図面の簡単な説明】
【０００８】
【図１】配線用遮断器の外観を前側及び左側から示した斜視説明図である。
【図２】配線用遮断器を右側から示した説明図である。
【図３】配線用遮断器を前側から示した説明図である。
【図４】配線用遮断器における負荷側端子部分の内部構造を示した斜視説明図である。
【発明を実施するための形態】
【０００９】
以下、本発明の一実施形態となる配線用遮断器（以下、単に遮断器と称す）について、図面にもとづき詳細に説明する。
図１は、遮断器１の外観を前側及び左側から示した斜視説明図である。図２は、遮断器１を右側から示した説明図である。図３は、遮断器１を前側から示した説明図である。図４は、遮断器１における負荷側端子３部分の内部構造を示した斜視説明図である。尚、遮断器１の負荷側端子３側を、遮断器１の前側とする。また、図４において、遮断機構部や負荷側端子３と電源側端子２とを電気的に繋ぐ電路等は省略している。
【００１０】
遮断器１は、合成樹脂製の左右一対のケース部材を組み立ててなる本体ケース４を有しており、本体ケース４の上面には、ハンドル７が前後方向へ回動操作可能に設けられている。そして、ハンドル７を回動操作することで、本体ケース４内に組み込まれている図示しない遮断機構部が作動し、後述する電源側端子２と負荷側端子３とを電気的につなぐ電路が接続／開放されるようになっている。また、本体ケース４の底部には、図示しない取付パネルへ掛止するための一組の掛止片（前掛止片８及び後掛止片９）が設けられているとともに、取付パネルへの掛止状態のままロックするためのロック部材１０も設けられている。なお、本体ケース４内には、図示しない過電流検知機構も設けられており、過電流を検知すると上記遮断機構部が開動作するようになっている。
【００１１】
また、本体ケース４の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、分電盤内等に配設される電源ラインである導体バー（図示せず）や該導体バーから分岐された分岐バー（図示せず）を容易に挿入接続可能となっている。
【００１２】
一方、本体ケース４の前面は、前側へ向かって下降傾斜する傾斜面に形成されており、該傾斜面には、負荷配線（図示せず）を挿入接続可能な３つの端子Ｌ１、Ｌ２、Ｌ３を傾斜面に沿って一列に配設してなる負荷側端子３が配置されている。また、各端子Ｌ１〜Ｌ３は、傾斜面に開設された端子孔１１を備えており、当該端子孔１１を介して傾斜面に直交する方向へ負荷配線を本体ケース４内へ挿入可能となっている。さらに、本体ケース４内で端子孔１１の内側となる箇所には、挿入された負荷配線に接触する速結端子金具１５が設置されており、各端子Ｌ１〜Ｌ３は、所謂速結端子として機能するようになっている。
【００１３】
また、各端子Ｌ１〜Ｌ３の下方には、たとえば絶縁抵抗測定試験等を行うための各種計器の測定端子を差し込み可能な差込孔１６が開設されている。各差込孔１６内には、その直上に位置する端子Ｌ１、Ｌ２、Ｌ３の速結端子金具１５と接触している電源座１７が夫々露出している。そして、各種計器の測定端子を差込孔１６から差し込んで電源座１７に接触させることで、絶縁抵抗測定試験等を実施することができる。
【００１４】
さらに、本体ケース４の前面には、その左右両縁に沿って、且つ、傾斜面に対して垂直方向に起立する支持壁５、５が設けられている。また、支持壁５、５の基端内面には、係合溝６が傾斜方向に沿って延設されている。そして、係合溝６には、差込孔１６、１６・・を被覆／露出するためのカバー部材１２が、傾斜方向へスライド自在に支持されている。なお、２１は、カバー部材１２の摘まみであり、２２は、カバー部材１２に設けられた案内突起である。また、本体ケース４の側面には、本体ケース４前面の傾斜方向に沿って延びる案内スリット２３が開設されている。そして、案内スリット２３内に案内突起２２が入り込んでおり、カバー部材１２のスライド時に案内するようになっている。
【００１５】
加えて、一方の支持壁５（ここでは前面から見て右側の支持壁５）で、各差込孔１６の側方となる位置には、切り欠き３１が夫々設けられている。また、各切り欠き３１から各差込孔１６内に露出する電源座１７へ向かっては、後方に下がる階段状に形成された案内段部３２が設けられている。
【００１６】
そして、上述したような遮断器１において絶縁抵抗測定試験等を実施する際には、切り欠き３１、３１・・を目印として、試験を実行したい端子Ｌ１〜Ｌ３に対応する差込孔１６の側方に測定端子の先端を位置させる。それから、測定端子の先端を左側へ移動させ、切り欠き３１を介して本体ケース４の前面上（差込孔１６の前方）に移動させるとともに、測定端子の先端を案内段部３２上に当接させつつ更に左側へ移動させれば、電源座１７に接触させることができ、ひいては各種試験を実施することができる。
【００１７】
以上のような構成を有する遮断器１によれば、本体ケース４の前面の左右両側縁に沿って、傾斜面に対して垂直方向に起立する支持壁５、５を設けているとともに、右側の支持壁５で、且つ、各差込孔１６の右側となる位置に、切り欠き３１を夫々設けている。そのため、絶縁抵抗測定試験等を実施する際には、たとえ端子Ｌ１〜Ｌ３に負荷配線が接続されて差込孔１６、１６・・の位置が直接視認しづらい状況にあっても、切り欠き３１、３１・・を目印として差込孔１６の位置を容易に把握することができる。また、試験を実行したい端子Ｌ１〜Ｌ３に対応する差込孔１６の側方に測定端子の先端を位置させ、そのまま左側へ移動させれば、測定端子の先端を差込孔１６の前方に位置させることができる。したがって、絶縁抵抗測定試験等の各種試験を容易に行うことができる。
【００１８】
また、各切り欠き３１から各差込孔１６内に露出する電源座１７へ向かっては、後方に下がる階段状に形成された案内段部３２を設けらている。したがって、切り欠き３１を介して本体ケース４の前面側に移動させた測定端子の先端を、案内段部３２上に当接させつつ左側へ移動させるだけで、電源座１７に接触させることができ、ひいては各種試験を実施することができる。したがって、絶縁抵抗測定試験等の各種試験を非常に容易に行うことができる上、電源座１７から切り欠き３１にかけて十分な絶縁距離を確保することができる。
【００１９】
なお、本発明の遮断器に係る構成は、上記実施形態の態様に何ら限定されるものではなく、遮断器の全体的な構成は勿論、切り欠きや案内段部等に係る構成ついても、本発明の趣旨を逸脱しない範囲で、必要に応じて適宜変更することができる。
【００２０】
たとえば、上記実施形態では、右側の支持壁に切り欠きを設けているが、左側の支持壁に切り欠きを設けてもよいし、上下の差込孔については右側の支持壁、中の差込孔については左側の支持壁等、左右両支持壁に切り欠きを設けるような構成を採用することも可能である。
また、上記実施形態では、各速結端子の下方に差込孔を開設しているが、上方に差込孔を開設しても何ら問題はない。
さらに、上記実施形態では、差込孔を被覆／露出するカバー部材を設けているが、それに代えて使用しない速結端子を被覆するようなカバー部材を設けて構成することも可能であるし、差込孔用のカバー部材と速結端子用のカバー部材との両方を設けるように構成しても何ら問題はない。
【符号の説明】
【００２１】
１・・遮断器、２・・電源側端子、３・・負荷側端子、４・・本体ケース、５・・支持壁、１１・・端子孔（速結端子）、１２・・カバー部材、１５・・速結端子金具（速結端子）、１６・・差込孔、１７・・電源座、３１・・切り欠き、３２・・案内段部。
【図１】
2019175684.tif 000003
【図２】
2019175684.tif 000004
【図３】
2019175684.tif 000005
【図４】
2019175684.tif 000006